(57)【要約】      （修正有）【課題】多機能スマートクッションを提供する。【解決手段】スマートクッション本体及び移動端末を備え、スマートクッション本体はスマートクッションカバーと、構造部分と、コア部分とを備え、構造部分はコア部分の周囲に位置し、スマートクッションカバーは構造部分とコア部分を被覆し、構造部分には電源とコントローラが設けられて、コア部分にはファン、加熱シート、温度センサ、還流案内路、理学療法装置、及びマッサージ装置が設けられ、ファン、加熱シート、温度センサ、理学療法装置、及びマッサージ装置は、いずれもコントローラを介して電源に接続され、移動端末は無線信号によってコントローラに接続される。【選択図】図１
0003223107.tif 000002
【実用新案登録請求の範囲】
【請求項１】
スマートクッション本体及び移動端末を備える多機能スマートクッションであって、前記スマートクッション本体はスマートクッションカバーと、構造部分と、コア部分とを備え、前記構造部分は前記コア部分の周囲に位置し、前記スマートクッションカバーは前記コア部分と前記構造部分を被覆し、
前記構造部分には電源とコントローラが設けられ、
前記コア部分にはファン、加熱シート、温度センサ、還流案内路、理学療法装置、及びマッサージ装置が設けられ、
前記ファン、前記加熱シート、前記温度センサ、前記理学療法装置、及び前記マッサージ装置は、いずれも前記コントローラを介して前記電源に接続され、
前記移動端末は無線信号によって前記コントローラに接続されることを特徴とする多機能スマートクッション。
【請求項２】
前記電源は移動電源であり、かつ前記移動電源の電圧が人体の安全電圧以下であることを特徴とする請求項１に記載の多機能スマートクッション。
【請求項３】
前記コントローラは、
操作信号を受信して制御信号を送信するプロセッサと、
異なる作動モード間で切り替える切り替えボタンと、
ユーザーが送信したブルートゥース指令を受信して前記ブルートゥース指令をブルートゥース操作信号に変換するブルートゥースユニットと、
ユーザーが送信した音声指令を受信して前記音声指令を音声操作信号に変換する音声ユニットと、
ユーザーが送信したタッチ指令を受信して前記タッチ指令をタッチ操作信号に変換するタッチユニットと、を備え、
前記ブルートゥースユニット、前記音声ユニット及び前記タッチユニットは、いずれも前記切り替えボタンによって前記プロセッサに接続されることを特徴とする請求項１に記載の多機能スマートクッション。
【請求項４】
前記ブルートゥース指令はブルートゥース操作指令又はブルートゥース音声指令を含むことを特徴とする請求項３に記載の多機能スマートクッション。
【請求項５】
前記コントローラは、
前記プロセッサに接続されて、プロセッサが送信したアロマ制御信号に応答するアロマユニットをさらに備えることを特徴とする請求項３に記載の多機能スマートクッション。
【請求項６】
前記ファンはスクロール型吸引ファンであることを特徴とする請求項１に記載の多機能スマートクッション。
【請求項７】
前記加熱シートは少なくとも二層の通気材料、及び隣接する二層の前記通気材料の間に設けられる発熱線を備えることを特徴とする請求項１に記載の多機能スマートクッション。
【請求項８】
前記還流案内路は少なくとも二本の互いに直交する換気管を備え、
前記ファンは二本の前記換気管の交差点に固定して設けられることを特徴とする請求項１に記載の多機能スマートクッション。
【請求項９】
前記スマートクッション本体の底部に設けられる真空式固定取付システムをさらに備えることを特徴とする請求項１〜８のいずれか一項に記載の多機能スマートクッション。
【考案の詳細な説明】
【技術分野】
【０００１】
本考案はスマートクッションの技術分野に属し、具体的には、多機能スマートクッションに関する。
【背景技術】
【０００２】
社会の継続的な進歩に伴い、仕事や生活の様々なニーズを満たすように様々なスマートクッションが開発されてきた。一般的に、スマートクッションはマットレスで製造されるシートと背もたれとから構成され、良好な換気効果及び加熱効果がある。
【０００３】
現在、市場で普及しているスマートクッションでは、その原理は交流電源により給電され、密閉型加熱シートを用いて発熱線を封入してスマートクッションに熱を供給し、ブロアを用いて人体からの熱を送風方式でスマートクッションから排出して換気を実現し、レンジを手動で制御することにより温度を選択することである。
【０００４】
しかし、その機能及び操作方式が単一であり、使用が限定されており、送風方式が人体により妨げられるとタイムリーに放熱できず、密閉型加熱シートにおいて熱の流れが悪いため熱の局部での集中をもたらし、ユーザー体験に悪影響を与え、かつレンジが工場のプログラムにより設定されており、それにより、温度を正確に制御できず、ユーザーがスマートクッションの運転をニーズに応じて自分で設定することができないという欠点がある。
【考案の概要】
【考案が解決しようとする課題】
【０００５】
従来技術に存在する技術的欠陥及び欠点を解決するために、本考案は多機能スマートクッションを提供する。本考案が解決しようとする技術的課題は、以下の技術案により実現される。
【課題を解決するための手段】
【０００６】
本考案は、スマートクッション本体及び移動端末を備え、前記スマートクッション本体がスマートクッションカバーと、構造部分と、コア部分とを備え、前記構造部分が前記コア部分の周囲に位置し、前記スマートクッションカバーが前記コア部分と前記構造部分を被覆し、
前記構造部分には電源とコントローラが設けられ、
前記コア部分にはファン、加熱シート、温度センサ、還流案内路、理学療法装置、及びマッサージ装置が設けられ、
前記ファン、前記加熱シート、前記温度センサ、前記理学療法装置、及び前記マッサージ装置が、いずれも前記コントローラを介して前記電源に接続され、
前記移動端末が無線信号によって前記コントローラに接続される多機能スマートクッションを提供する。
【０００７】
本考案の一実施例では、前記電源は移動電源であり、かつ前記移動電源の電圧は人体の安全電圧以下である。
【０００８】
本考案の一実施例では、前記コントローラは、
操作信号を受信して制御信号を送信するプロセッサと、
異なる作動モード間で切り替える切り替えボタンと、
ユーザーが送信したブルートゥース(登録商標)指令を受信して前記ブルートゥース指令をブルートゥース操作信号に変換するブルートゥースユニットと、
ユーザーが送信した音声指令を受信して前記音声指令を音声操作信号に変換する音声ユニットと、
ユーザーが送信したタッチ指令を受信して前記タッチ指令をタッチ操作信号に変換するタッチユニットと、を備え、
前記ブルートゥースユニット、前記音声ユニット及び前記タッチユニットは、いずれも前記切り替えボタンによって前記プロセッサに接続される。
【０００９】
本考案の一実施例では、前記ブルートゥース指令はブルートゥース操作指令又はブルートゥース音声指令を含む。
【００１０】
本考案の一実施例では、前記コントローラは、
前記プロセッサに接続されて、プロセッサが送信したアロマ制御信号に応答するアロマユニットをさらに備える。
【００１１】
本考案の一実施例では、前記ファンはスクロール型吸引ファンであり、
本考案の一実施例では、前記加熱シートは少なくとも二層の通気材料及び隣接する二層の前記通気材料の間に設けられる発熱線を備える。
【００１２】
本考案の一実施例では、前記還流案内路は少なくとも二本の互いに直交する換気管を備え、
前記ファンは二本の前記換気管の交差点に固定して設けられる。
【００１３】
本考案の一実施例では、前記スマートクッション本体の底部に設けられる真空式固定取付システムをさらに備える。
【考案の効果】
【００１４】
以上から明らかなように、本考案による多機能スマートクッションは、スクロール型吸引ファンを採用して、スマートクッション内の熱を吸引方式でスマートクッションから排出し、それにより人体により妨げられるとタイムリーに放熱できないという従来の送風方式の問題を回避し、還流案内路を介して風をスマートクッションの外部へタイムリーに排出できるため、熱の還流やノイズの問題を軽減させ、通気材料からなる加熱シートによって、スマートクッション内部で熱を流動させることで、従来の加熱シートにおいて熱の流れが悪いため熱の局部での集中をもたらすという問題を回避し、真空式固定取付システムを採用して吸着により固定されるため、外観性に優れるとともにスマートクッションの破損をもたらしにくく、さらに、アロマ、理学療法及びマッサージの機能を有しており、このため、機能が多様化され、応用性が広い。
【００１５】
以下、図面を参照しながら詳細に説明すると、本考案の他の態様及び特徴が明らかになる。なお、該図面は解釈の目的で設計されたものに過ぎず、本考案の範囲を限定するものではなく、本考案の範囲は添付の実用新案登録請求の範囲を基準すべきである。また、特に断らない限り、図面は実際の縮尺で描かれる必要がなく、それらはここで説明した構造及びプロセスを模式的に説明するためのものに過ぎない。
【図面の簡単な説明】
【００１６】
【図１】本願の実施例による多機能スマートクッションの構造の模式上面図である。
【図２】本願の実施例による多機能スマートクッションがブルートゥースユニットに基づいて制御される原理の模式図である。
【図３】本願の実施例による多機能スマートクッションが音声ユニットに基づいて制御される原理の模式図である。
【図４】本願の実施例による多機能スマートクッションがタッチパネルユニットに基づいて制御される制御原理の模式図である。
【図５】本願の実施例による多機能スマートクッションをコントローラがアロマ装置とするときの制御原理の模式図である。
【図６】本願の実施例による多機能スマートクッションを理学療法クッションとするときの制御原理の模式図である。
【図７】本願の実施例による多機能スマートクッションをマッサージクッションとするときの制御原理の模式図である。
【図８】本願の実施例による多機能スマートクッションにおける還流案内路の構造の側面模式図である。
【考案を実施するための形態】
【００１７】
以下、本考案の上記目的、特徴及び利点を明確かつ分かりやすくするために、図面を参照しながら本考案の特定の実施形態を詳しく説明する。
【００１８】
図１に示すように、図１は本願の実施例による多機能スマートクッションの構造の模式上面図である。本実施例による多機能スマートクッションは、スマートクッション本体及び移動端末を備え、スマートクッション本体はスマートクッションカバーと、構造部分と、コア部分とを備え、構造部分はコア部分の周囲に位置し、スマートクッションカバーは構造部分とコア部分を被覆し、
構造部分には電源とコントローラが設けられ、
コア部分にはファン、加熱シート、温度センサ、還流案内路、理学療法装置、及びマッサージ装置が設けられ、
ファン、加熱シート、温度センサ、理学療法装置、及びマッサージ装置は、いずれもコントローラを介して電源に接続され、
移動端末は無線信号によってコントローラに接続される。
【００１９】
具体的には、従来のスマートクッションは、交流電源により給電されて、密閉型加熱シートを用いて発熱線をスマートクッションに封入することにより熱を供給し、ブロアを用いて余分な熱を送風方式でスマートクッションから排出して換気を実現し、レンジを手動で制御することにより温度を選択する。しかし、機能が単一であり、使用が限定されており、送風方式が人体により妨げられるとタイムリーに放熱できず、密閉型加熱シートにおいて熱の流れが悪いため熱の局部での集中をもたらし、ユーザー体験に悪影響を与え、かつレンジが工場のプログラムにより設定されており、それにより、温度を正確に制御できず、ユーザーがニーズに応じてスマートクッションの運転を自分で設定することができないという問題が存在する。
【００２０】
上記問題を解決するために、本願の実施例は多機能スマートクッションを提供し、温度センサを利用してスマートクッションの温度情報をリアルタイムに監視し、かつ該温度情報をコントローラのブルートゥースユニットによって移動端末に送信してユーザーにフィードバックし、又は、コントローラが備える音声ユニット又はタッチユニットによってユーザーにフィードバックし、ユーザーは移動端末又はコントローラが備える音声ユニット及びタッチユニットに制御指令を送信することにより、スマートクッションを調節し、ユーザーが具体的な制御指令をコントローラに送信すると、コントローラは具体的な制御指令に基づき制御信号を送信して加熱シート又はファンの動作方式を調節し、温度を正確に制御する。また、本願で提案されたスマートクッションは、コントローラを介してユーザーによるアロマ指令、理学療法指令又はマッサージ指令を受信し、ニーズに応じてスマートクッションを理学療法クッション又はマッサージクッションとして使用することができ、コントローラ自体は単独でアロマ装置として使用することができる。
【００２１】
特定の一実施形態では、電源は移動電源であり、かつ移動電源の電圧は人体の安全電圧以下である。
【００２２】
具体的には、人体の安全電圧以下の移動電源を採用して給電するため、安全であり、携帯しやすく、小型化されている等の利点を有する。また、移動電源は接続されている製品を自動的に識別して給電し、移動電源と製品の接続が切断されると、移動電源は自動的に識別して給電を停止する。このような方式は、ユーザーの使用時の利便性を向上させ、製品を接続又は切断するたびに移動電源の給電機能をオンオフせずに済むため、より使用しやすくなり、より人間のニーズに応え、そして、移動電源の電力損失をさらに減少させることができ、オフィス、ホーム、自動車、列車、飛行機、映画館、待合室、屋外、野外、旅行、レストランなどで使用することができ、ユーザーはニーズに応じて自分で具体的な機能を調節したり選択したりすることが可能である。
【００２３】
特定の一実施形態では、コントローラは、
操作信号を受信して制御信号を送信するプロセッサと、
異なる作動モード間で切り替える切り替えボタンと、
ユーザーが送信したブルートゥース指令を受信してブルートゥース指令をブルートゥース操作信号に変換するブルートゥースユニットと、
ユーザーが送信した音声指令を受信して音声指令を音声操作信号に変換する音声ユニットと、
ユーザーが送信したタッチ指令を受信してタッチ指令をタッチ操作信号に変換するタッチユニットと、を備え、
ブルートゥースユニット、音声ユニット及びタッチユニットは、いずれも切り替えボタンによってプロセッサに接続される。
【００２４】
特定の一実施形態では、ブルートゥース指令はブルートゥース操作指令又はブルートゥース音声指令を含む。
【００２５】
具体的には、コントローラに指紋スイッチボタンが設けられて、使用するときに指紋識別方式でコントローラをオンオフすることができ、温度センサはスマートクッションの内部温度をリアルタイムに監視して、温度情報をプロセッサにリアルタイムにフィードバックし、次にプロセッサは温度情報を様々な方式でユーザーに転送し、ユーザーは切り替えボタンを操作することにより異なる制御モード間で切り替えることができる。
【００２６】
また、本願の実施例で提案されたスマートクッションは、コントローラに接続されて人体の圧力又は重力の信号を感知してコントローラのオンオフを調節する圧力感知装置がコア部分に設けられている。具体的には、スマートクッションにおける圧力感知装置は、人体の圧力又は重力を感知すると、圧力信号を生成してコントローラに伝送し、コントローラは圧力信号を識別して起動し、人体がスマートクッションから離れると、スマートクッションにおける圧力感知装置は人体の圧力又は重力を感知できなくなり、圧力信号が消え、コントローラはオフするように作動する。
【００２７】
図２に示すように、ブルートゥースユニットに切り替えるとき、音声ユニット及びタッチユニットは動作を停止し、ユーザーが動端末を起動させると、プロセッサは、ユーザーの参照として温度情報をブルートゥースを介して移動端末に転送し、かつユーザーにより移動端末を介して送信されたブルートゥース指令を受信する。ここで、ブルートゥース指令は、ユーザーによる移動端末への具体的な操作であるブルートゥース操作指令であってもよく、ユーザーが音声入力により移動端末を操作することにより生成されたブルートゥース音声指令であってもよい。ブルートゥースユニットはユーザーが送信したブルートゥース指令を受信して、該ブルートゥース指令をブルートゥース操作信号に変換してプロセッサに送信し、プロセッサはブルートゥース操作信号を受信した後、加熱シート又はファンの動作方式を調整することによりスマートクッションを調節し、温度センサは温度情報の変化をリアルタイムに記録して、温度変化情報をプロセッサにリアルタイムにフィードバックし、プロセッサは温度情報をブルートゥースを介して移動端末にフィードバックして転送する。このように温度などの情報が更新されて、参照としてユーザーに供給される。
【００２８】
図３に示すように、音声ユニットに切り替えるとき、ブルートゥースユニット及びタッチユニットは動作を停止し、プロセッサは温度情報を音声放送によってユーザーに転送し、かつユーザーが送信した音声指令を受信し、音声ユニットはユーザーが送信した音声指令を受信して、該音声指令を音声操作信号に変換してプロセッサに送信し、プロセッサは音声操作信号を受信した後、加熱シート又はファンの動作方式を調整することによりスマートクッションを調節し、温度センサは温度情報の変化をリアルタイムに記録して、温度変化情報をプロセッサにリアルタイムにフィードバックし、プロセッサは温度情報を音声でユーザーにフィードバックして転送する。このように温度などの情報が更新されて、参照としてユーザーに供給される。
【００２９】
図４に示すように、タッチユニットに切り替えるとき、ブルートゥースユニット及び音声ユニットは動作を停止し、プロセッサは、参照として温度情報をタッチスクリーンによってユーザーに転送し、ユーザーはタッチスクリーンを操作することによりタッチ指令を送信し、次にタッチユニットはユーザーが送信したタッチ指令を受信して、該タッチ指令をタッチ操作信号に変換してプロセッサに送信し、プロセッサはタッチ操作信号を受信した後、加熱シートとファンの動作方式を調整することによりスマートクッションを調節し、温度センサは温度情報の変化をリアルタイムに記録して、温度変化情報をプロセッサにリアルタイムにフィードバックし、プロセッサは温度情報をタッチでユーザーにフィードバックして転送する。このように温度などの情報が更新されて、参照としてユーザーに供給される。
【００３０】
特定の一実施形態では、コントローラは、
プロセッサに接続されて、プロセッサが送信したアロマ制御信号に応答するアロマユニットをさらに備える。
【００３１】
具体的には、図５に示すように、本願の実施例では、ブルートゥースユニット、音声ユニット又はタッチユニットによってユーザーが送信したアロマ指令を受信し、プロセッサを制御してアロマユニットの動作を調整し、ユーザーはブルートゥースユニットによってユーザーのブルートゥース指令を受信し、タッチユニットによってユーザーのタッチ指令を受信し、又は音声ユニットによってユーザーの音声指令を受信し、かつ上記アロマ指令をアロマ操作信号に変換してプロセッサに転送するようにしてもよい。なお、プロセッサが同一時刻で一種類のみのアロマ操作信号を受信し、プロセッサはアロマ操作信号を受信してアロマ制御信号を送信しアロマユニットの動作を制御し、コントローラは独立したアロマ装置製品として利用し得る。具体的には、使用するとき、ブルートゥースユニット、音声ユニット又はタッチユニットによってユーザーが送信したアロマ指令を受信し、かつアロマ指令をアロマ操作信号に変換し、プロセッサは上記アロマ操作信号を受信してアロマ制御信号をアロマユニットに送信し、アロマユニットは受信されたアロマ制御信号に応答して、アロマ装置のリアルタイムな動作状態をユーザーにフィードバックする。
【００３２】
また、本願の実施例では、ブルートゥースユニット、音声ユニット又はタッチユニットによってユーザーが送信した理学療法指令を受信し、プロセッサを制御して理学療法装置の動作を調節し、スマートクッションを理学療法クッションとして使用することができる。従来の理学療法とは、特定のシーンにおいて、専用の木造住宅内に熱炉により専用の岩を温度７０℃以上に加熱した後、この岩に少量の水を与えて、衝撃性のある蒸気を発生させ、それにより人体の血液の流れを促進して、全身の各部位での筋肉をリラックスさせる。このように疲労を解消して体力を回復し、元気を出すような目的を達成する。疲れた人にとっては、従来の理学療法による健康維持効能は高級な楽しみでありかつレジャーである。しかしながら、このような理学療法は、高価な特定の場所が必要であり、使用し得る場所や時間が制限されるため、適用できる分野が限定されてしまい、人の本格的なニーズや要求を満足できなくなる。また、その効能が単一であり、理学療法効能しかないため、ユーザーの更なる実際のニーズに応えることができない。そして、理学療法の温度が単一であり、理学療法の温度が設定されているため、ユーザーは自分のニーズに応じて調整することができず、ユーザーの個別のニーズや求められる体験を本質的に満たすことができない。理学療法方式の制限のため、特定の場所が必要であり、場所内の空気の流れが悪くなり、ユーザーが理学療法を楽しむときに一定の不快感がある。
【００３３】
これら問題を解決するために、本願の実施例では、ブルートゥースユニット、音声ユニット又はタッチユニットによってユーザーが送信した理学療法指令を受信し、プロセッサを制御して理学療法装置の動作を調節することができ、理学療法装置は、加熱シートと理学療法バッグを備え、温熱療法の原理を利用して、理学療法装置に座って人体の皮膚を加熱し体の表面の温度を上げ、皮膚細胞の活性を高め、それにより皮膚表面の毛細血管を拡張させて、皮膚のひだに溜まった異物を汗によって排出する。このように、経絡の流れをよくして、血液循環を促進し、体内の毒素を取り除いて顔面の皮膚を整えるという理学療法の効能を有する。このとき、全身の毛穴は開かれており、皮膚は理学療法装置における理学療法バッグ内の各種理学療法による栄養成分を吸収する。スマートクッションに座る又は凭れるだけで体の各部位が理学療法を楽しめる。図６に示すように、ユーザーはブルートゥースユニットによってユーザーのブルートゥース指令を受信し、タッチユニットによってユーザーのタッチ指令を受信し、又は音声ユニットによってユーザーの音声指令を受信し、かつ上記理学療法指令を理学療法操作信号に変換してプロセッサに転送することができる。なお、プロセッサが同一時刻で一種類のみの理学療法操作信号を受信し、プロセッサは上記理学療法操作信号を受信して理学療法制御信号を送信し理学療法装置の動作を調節し、スマートクッションは独立した理学療法クッション製品として利用し得る。具体的には、使用するとき、ブルートゥースユニット、音声ユニット又はタッチユニットによってユーザーが送信した理学療法指令を受信し、かつ理学療法指令を理学療法操作信号に変換し、プロセッサは上記理学療法操作信号を受信して理学療法制御信号を理学療法装置に送信し、理学療法装置における加熱シートは受信された理学療法制御信号に応答して理学療法バッグを加熱し始め、かつ理学療法情報をリアルタイムにフィードバックして、温度センサは理学療法クッションの内部温度をリアルタイムに検出し、プロセッサは参照としてユーザーにフィードバックする。
【００３４】
また、本願の実施例では、ブルートゥースユニット、音声ユニット又はタッチユニットによってユーザーが送信したマッサージ指令を受信し、プロセッサを制御してマッサージ装置の動作を調節することができ、人々の生活リズムが速くなるに従って、仕事のストレスが高まっており、マッサージは体をリラックスさせて気分をよくする方法として人気があり、従来のマッサージチェアは構造が複雑で、高価であり、製品の体積が大きく、重くて移動しにくく、かつマッサージチェアは主にチェア本体からなり、チェア本体の内部にマッサージスティックが設けられ、マッサージスティックの回転及び前後運動により人体をマッサージするものであり、マッサージチェアは一般的なリクライニングチェア構造をしており、マッサージチェアに横になってマッサージを行い、体のある部位に対して押圧式マッサージを行うことで、体を伸ばして、筋骨をリラックスさせる効能を果たす。しかしながら、制御モードは工場のプログラムにより設定されており、ユーザーそれぞれのニーズや体験を満たすことができず、かつ製品の効能が単一であり、簡単なマッサージ効能しかないため、それ以外のユーザーのニーズに応えることができない。そして、操作方式が単一であり、操作方式として手動で制御して作動させるため、ユーザー体験が制限され、また、製品の体積が大きく、重くて移動しにくく、携帯しにくくかつ給電が２２０Ｖ電源しか使用できず、それにより適応分野が限定される。これらの要因により、特定の分野や場所にしか使用できず、時間や場所を問わずに使用できるというユーザーのニーズを満足できない。このため、ユーザーの個別のニーズや要求を満たすことができない。
【００３５】
これら問題を解決するために、本願の実施例では、ブルートゥースユニット、音声ユニット又はタッチユニットによってユーザーが送信したマッサージ指令を受信し、プロセッサを制御してマッサージ装置の動作を調節することができ、マッサージ装置はモーターとマッサージスティックからなり、機械的な回転力の作用と機械的な力による押圧を利用してマッサージを行うことで、経絡の流れをよくして、気血を循環させ、体の陰と陽のバランスを保持し、マッサージを行った後に筋肉がリラックスして、関節が柔軟になり、人の精神をリフレッシュさせ、疲労を解消し、体の健康維持に寄与する。スマートクッションに座る又は凭れるだけで体の各部位がマッサージを楽しめる。図７に示すように、ユーザーはブルートゥースユニットによってユーザーのブルートゥース指令を受信し、タッチユニットによってユーザーのタッチ指令を受信し、又は音声ユニットによってユーザーの音声指令を受信し、かつ上記マッサージ指令をマッサージ操作信号に変換してプロセッサに転送することができる。なお、プロセッサは同一時刻で一種類のみのマッサージ操作信号を受信し、プロセッサは上記マッサージ操作信号を受信してマッサージ制御信号を送信しマッサージ装置の動作を制御し、スマートクッションは独立したマッサージクッション製品として利用し得る。具体的には、使用するとき、ブルートゥースユニット、音声ユニット又はタッチユニットによってユーザーが送信したマッサージ指令を受信し、かつ上記マッサージ指令をマッサージ操作信号に変換し、プロセッサは上記マッサージ操作信号を受信してマッサージ制御信号をマッサージ装置に送信し、マッサージ装置は受信されたマッサージ制御信号に応答して、ユーザーとしてマッサージ情報をリアルタイムにフィードバックする。
【００３６】
特定の一実施形態では、ファンはスクロール型吸引ファンである。
【００３７】
具体的には、現在市販されている換気型スマートクッションはほとんどブロアを採用するものであり、ブロアの送風原理を利用して、送風方式で人体が放出した熱を排出する。しかし、人体が一定の重量を有するため、ブロアが送風した風は人体の重力により押されて、更に風量が妨げられる。その結果、人体の熱の流れが制限されて、それにより放熱の問題を根本的に解決できない。この問題を解決するために、本願の実施例はスクロール型吸引ファンを採用して、吸引の原理を採用し、図８に示すように、加熱シートはスクロール型吸引ファンの上方に位置して、人体の熱をファンの吸気口を介してスマートクッション本体内に吸い込み、次に還流案内路を介して人体の熱をスマートクッションの外部へ排出する。このようにして放熱の問題を根本的に解決する。
【００３８】
特定の一実施形態では、加熱シートは少なくとも二層の通気材料及び隣接する二層の通気材料の間に設けられる発熱線を備える。
具体的には、現在市販されている加熱スマートクッションはほとんど密閉型加熱シート材料を採用して、上下二層の繊維布材料で中間の発熱線を密封するものであり、発熱線が給電されて発熱するときに、上下二層の繊維布材料が通気できないため、発熱線から生じた熱を閉じ込めて、加熱の目的を実現する。しかしながら、人体自体が一定の熱を有するため、人がこの密閉型加熱シートのスマートクッションに座っているとき、２種類の熱が蓄積されて、余分な熱を排出することができず、熱は流れることもできず、それにより熱が局所的に集中する状況が発生して、人体に不快さを与える。この問題を解決するために、本願の実施例は通気式加熱シートを採用し、少なくとも二層の通気材料及び隣接する二層の通気材料の間に設けられる発熱線を備えるものであり、流動熱の原理を用い、上下二層の材料と発熱線は共に通気性を有するため、人がこのようなスマートクッションに座っているとき、スマートクッションの通気原理を利用して、人体の余分な熱を放散することができ、空気が通気材料の隙間に流れて、加熱シートの熱も人体自体の熱も空気とともに流れ、それにより熱を流動可能にする。さらに、熱が局所的に集中することによる蒸し暑さや不快感を解消する。
【００３９】
特定の一実施形態では、還流案内路は少なくとも二本の互いに直交する換気管を備え、
ファンは二本の換気管の交差点に固定して設けられる。
【００４０】
具体的には、ファンが吸い込んだ風をより良好に排出して、ファンの風量還流によるノイズを低減させるために、本願の実施例は、スマートクッション本体の内部に少なくとも二本の互いに直交する換気管が設置され、この換気管の設計により、ファンの作動中に排出した熱の還流及びノイズの問題をより良好に解決する。換気管を介して余分な熱と風量をスマートクッション本体から直接排出することができ、ファンの作動中のノイズを効果的に低減させることもできる。ファンの作動中に一定のノイズや熱の還流が発生し、ノイズ及び熱の還流を軽減させるために、該換気管の構造設計に採用した材料を防音と通気の効果があるものにするとともに、案内ダクトを介して熱及びノイズを案内する。このように、風量や熱放出の問題を根本的に解決し、かつファンの作動中に生じたノイズの問題を大幅に軽減させる。
【００４１】
特定の一実施形態では、スマートクッション本体の底部に設けられる真空式固定取付システムをさらに備える。
【００４２】
具体的には、現在市販されているスマートクッションはほとんどストラップを縫製することにより固定され、ストラップでスマートクッションをチェアなどの製品に固定する。しかしながら、このようなストラップで固定する方式は、大きな制限があり、例えば、ソファやオフィスで使用される特定のボスチェアの場合、ストラップで固定することができず、それによりスマートクッションがスライドしやすくなり、正常な使用に影響を及ぼし、安全リスクが発生しやすい。自動車のチェアなどストラップを利用できる場合、ストラップで固定できるが、チェアの外層の皮と固定する必要があるので、スマートクッションがある程度摩損されてしまう。この問題を解決するために、本願の実施例は、真空式固定取付システムを機械的なストラップと組み合わせた方式を用い、真空式固定取付システムは、製品の底部に多くの真空式吸気装置が設計される。この装置は接続対象製品とのすべての接触部分の空気を抜き出すことで接続対象製品に固定して接続されることを実現する。皮製のボスチェア、自動車チェアや家庭用ソファの場合、いずれの材料も皮製材料であり、非常に使用しやすく、スマートクッション製品を使用対象製品に配置するだけで、製品底部の吸引部材がチェアの表面材料に吸着されて、使用対象製品に固定される。このようにして、ストラップで固定できない製品に使用される場合の問題を解決すると同時に、製品の破損を回避し、かつより美しくなる。さらに、本考案の製品はストラップで固定することも可能であり、このような多用途向けの固定方式は、オフィスソファ、ボスチェア、自動車のチェア、家庭用ソファなどの皮製材料の製品に応用でき、従業員用のオフィスチェア、自動車のチェアなどではストラップで固定されてもよく、すなわち、吸着式で固定されてもよく、ストラップで固定されてもよく、多用途向けの固定方式が可能である。
【００４３】
また、現在市販されているスマートクッション製品はいずれも固定式であり、すなわち、あらゆる付属品が一体に固定して縫製され、体積が大きく、重くて移動しにくく、洗浄しにくく、かつ特定のシーンにしか使用できず、経済的な観点からも、製品自体の価値からも、効果が制限される。従って、本願の実施例で提案されたスマートクッションは、携帯しやすくて、任意の場所で使用でき、経済的な観点から、簡易組み合わせ式スマートクッションを提案しており、スマートクッション本体がスマートクッションカバーと、構造部分と、コア部分とを備え、スマートクッションカバーは製品の外観性や衛生性を高め、かつ洗浄しやすくし、洗浄したい場合、スマートクッションカバーを取り外して洗浄すればよく、非常に便利であり、コア部分にはファン、加熱シート、温度センサ、還流案内路、理学療法装置、及びマッサージ装置が設置されており、製品の体積をより大きくして、体格が大きいユーザーが使用できるように、電源とコントローラが構造部分に配置される。人の体格は異なり、大きい体格の人も小さい体格の人もいるので、様々な体格の人が使用できるように、特に構造部分が設計されている。
【００４４】
体格の大きいユーザーが使用するとき、コア部分、つまり製品の本体部分を、構造部分の内部に取り付けるだけでよく、構造部分には本体製品の取付空間が設計されているため、非常に使用しやすく、コア部分を構造部分の核心凹溝空間に配置するだけでよく、コア部分の取付空間は、コア部分を容易に着脱するために構造部分に設計されるのである。
【００４５】
体格の小さいユーザー又は子供が使用するとき、このような大サイズは必要ではなく、つまり、構造部分が必要ではない場合、コア部分を取り出してコア部分を単独で使用すればよく、コア部分は独立した製品でもあり、旅行や出張の場合、携帯することができ、製品の軽量の特徴により、非常に携帯しやすい。
【００４６】
本考案による多機能スマートクッションは、スクロール型吸引ファンを採用して、スマートクッションの内部の熱を吸引方式でスマートクッションから排出し、それによって、人体により妨げられるとタイムリーに放熱できないという従来の送風方式の問題を回避して、還流案内路を介して風をスマートクッションの外部へタイムリーに排出することができ、熱の還流及びノイズの問題を軽減させ、通気材料からなる加熱シートによって、スマートクッション内部の熱の流れをよくして、それにより従来の加熱シートにおいて熱の流れが悪いため熱の局部での集中をもたらすという問題を回避し、真空式固定取付システムを採用して吸引により固定されるため、外観性に優れてかつスマートクッションの破損をもたらしにくく、また、アロマ、理学療法及びマッサージの機能を有しており、機能が多様化され、応用性が広く、オフィス、ホーム、自動車、列車、飛行機、映画館、待合室、屋外、野外、旅行、レストラン等で使用し得る。
【００４７】
以上、特定の好適な実施形態にて本考案について更に詳しく説明したが、本考案の具体的な実施はこれらの説明に限定されるものではない。当業者であれば、本考案の発想から逸脱せずにいくつかの簡単な導出や代替を行うことができ、これらはすべて本考案の保護範囲に属するべきである。
【図１】
0003223107.tif 000003
【図２】
0003223107.tif 000004
【図３】
0003223107.tif 000005
【図４】
0003223107.tif 000006
【図５】
0003223107.tif 000007
【図６】
0003223107.tif 000008
【図７】
0003223107.tif 000009
【図８】
0003223107.tif 000010
【手続補正書】
【提出日】令和1年7月18日(2019.7.18)
【手続補正１】
【補正対象書類名】実用新案登録請求の範囲
【補正対象項目名】全文
【補正方法】変更
【補正の内容】
【実用新案登録請求の範囲】
【請求項１】
スマートクッション本体及び移動端末を備える多機能スマートクッションであって、前記スマートクッション本体はスマートクッションカバーと、構造部分と、コア部分とを備え、前記構造部分は前記コア部分の周囲に位置し、前記スマートクッションカバーは前記コア部分と前記構造部分を被覆し、
前記構造部分には電源とコントローラが設けられ、
前記コア部分にはファン、加熱シート、温度センサ、還流案内路、理学療法装置、及びマッサージ装置が設けられ、
前記ファン、前記加熱シート、前記温度センサ、前記理学療法装置、及び前記マッサージ装置は、いずれも前記コントローラを介して前記電源に接続され、
前記移動端末は無線信号によって前記コントローラに接続されることを特徴とする多機能スマートクッション。
【請求項２】
前記電源は移動電源であり、かつ前記移動電源の電圧が人体の安全電圧以下であることを特徴とする請求項１に記載の多機能スマートクッション。
【請求項３】
前記コントローラは、
操作信号を受信して制御信号を送信するプロセッサと、
異なる作動モード間で切り替える切り替えボタンと、
ユーザーが送信したブルートゥース（登録商標）指令を受信して前記ブルートゥース指令をブルートゥース操作信号に変換するブルートゥースユニットと、
ユーザーが送信した音声指令を受信して前記音声指令を音声操作信号に変換する音声ユニットと、
ユーザーが送信したタッチ指令を受信して前記タッチ指令をタッチ操作信号に変換するタッチユニットと、を備え、
前記ブルートゥースユニット、前記音声ユニット及び前記タッチユニットは、いずれも前記切り替えボタンによって前記プロセッサに接続されることを特徴とする請求項１に記載の多機能スマートクッション。
【請求項４】
前記ブルートゥース指令はブルートゥース操作指令又はブルートゥース音声指令を含むことを特徴とする請求項３に記載の多機能スマートクッション。
【請求項５】
前記コントローラは、
前記プロセッサに接続されて、プロセッサが送信したアロマ制御信号に応答するアロマユニットをさらに備えることを特徴とする請求項３に記載の多機能スマートクッション。
【請求項６】
前記ファンはスクロール型吸引ファンであることを特徴とする請求項１に記載の多機能スマートクッション。
【請求項７】
前記加熱シートは少なくとも二層の通気材料、及び隣接する二層の前記通気材料の間に設けられる発熱線を備えることを特徴とする請求項１に記載の多機能スマートクッション。
【請求項８】
前記還流案内路は少なくとも二本の互いに直交する換気管を備え、
前記ファンは二本の前記換気管の交差点に固定して設けられることを特徴とする請求項１に記載の多機能スマートクッション。
【請求項９】
前記スマートクッション本体の底部に設けられる真空式固定取付システムをさらに備えることを特徴とする請求項１〜８のいずれか一項に記載の多機能スマートクッション。